(57)【要約】【課題】補助器具の設置または除去に関する手間を軽減することに貢献する補助器具を提供する。【解決手段】補助器具１０は、土間に設置され平板状を有する設置台２０、支持部３０、手すり、および、カバー４０を有する。支持台３０は、設置台２０に支持され、手すりを支持する。カバー４０は、支持部３０のうちの設置台２０との付け根部分であるフランジ３２Ｂを覆う。カバー４０は、頂部から底部にまでわたり切れ目が形成されている。【選択図】図５
2015173697.tif 000002
【特許請求の範囲】
【請求項１】
設置面に設置され、平板状またはそれに類似する形状を有する基礎と、
前記基礎に支持される支持部と、
前記支持部に支持される手すりと、
少なくとも前記支持部のうちの前記基礎との付け根部分を覆うカバーと
を有し、
前記カバーの頂部から底部までにわたり切れ目が形成されている
補助器具。
【請求項２】
設置面に設置され、柱またはそれに類似する形状を有する基礎と、
前記基礎に支持される支持部と、
前記支持部に支持される手すりと、
前記基礎のうちの底部を覆うカバーと
を有し、
前記カバーの頂部から底部までにわたり切れ目が形成されている
補助器具。
【請求項３】
前記カバーの対向する２箇所に前記切れ目が形成されていることにより、前記カバーが第１のカバーと第２のカバーとに区分され、その区分された第１のカバーおよび第２のカバーを繋げる接続部が前記２箇所の切れ目のうちの一方に形成されている
請求項１または２に記載の補助器具。
【請求項４】
前記カバーと前記支持部との間に空間が形成されるように前記カバーの形状が設定され、前記カバーの内周面に工具を保持する保持部が形成されている
請求項１〜３のいずれか一項に記載の補助器具。
【請求項５】
前記支持部は、銭手すりの長手方向に並べて配置された少なくとも２本の柱を有し、
その２本の柱の間を埋めるように板が取り付けている
請求項１〜４のいずれか一項に記載の補助器具。
【発明の詳細な説明】
【技術分野】
【０００１】
本発明は、手すりを含む補助器具に関する。
【背景技術】
【０００２】
補助器具は、生活の様々なシーンに用いられる。例えば、高齢者および要介護者（以下、「高齢者等」）のために用意される補助器具として、高齢者等が玄関の框等の生活動作の段差を昇る場合または降りる場合の動作を補助するための補助器具が実用化されている。特許文献１は、そのような補助器具の一例を開示している。
【０００３】
特許文献１の補助器具は、設置面に設置されるフランジと、フランジに支持される柱と、柱に支持される手すりと、フランジを覆うカバーとを有する。この補助器具によれば、フランジがボルトにより設置面に固定され、そのフランジを覆うようにカバーが取り付けられる。このため、使用者が補助器具を使用するときに、その足等がフランジに直接的に触れることがカバーにより妨げられる。
【先行技術文献】
【特許文献】
【０００４】
【特許文献１】特開２００１−１８７９９７号公報
【発明の概要】
【発明が解決しようとする課題】
【０００５】
特許文献１の補助器具を設置する場合、その作業者は、カバーを予め柱に通し、フランジを設置面に固定するときにその作業の邪魔にならなうようにカバーを保持しながらフランジおよび設置面にボルトをねじ込む。また、特許文献１の補助器具を撤去する場合にも、作業者は、設置する場合と同様にボルトを緩める作業の邪魔にならないようにカバーを保持する必要がある。このように、特許文献１の補助器具によれば、その設置または撤去に関する作業に手間がかかる。
【０００６】
本発明の目的は、補助器具の設置または除去に関する手間を軽減することに貢献する補助器具を提供することである。
【課題を解決するための手段】
【０００７】
〔１〕本補助器具の独立した一形態によれば、設置面に設置され、平板状またはそれに類似する形状を有する基礎と、前記基礎に支持される支持部と、前記支持部に支持される手すりと、少なくとも前記支持部のうちの前記基礎との付け根部分を覆うカバーとを有し、前記カバーの頂部から底部までにわたり切れ目が形成されている。
【０００８】
〔２〕本補助器具の別の独立した一形態によれば、設置面に設置され、柱またはそれに類似する形状を有する基礎と、前記基礎に支持される支持部と、前記支持部に支持される手すりと、前記基礎のうちの底部を覆うカバーとを有し、前記カバーの頂部から底部までにわたり切れ目が形成されている。
【０００９】
〔３〕前記補助器具に従属する一形態によれば、前記カバーの対向する２箇所に前記切れ目が形成されていることにより、前記カバーが第１のカバーと第２のカバーとに区分され、その区分された第１のカバーおよび第２のカバーを繋げる接続部が前記２箇所の切れ目のうちの一方に形成されている。
【００１０】
〔４〕前記補助器具に従属する一形態によれば、前記カバーと前記支持部との間に空間が形成されるように前記カバーの形状が設定され、前記カバーの内周面に工具を保持する保持部が形成されている。
【００１１】
〔５〕前記補助器具に従属する一形態によれば、前記支持部は、前記手すりの長手方向に並べて配置された少なくとも２本の柱を有し、その２本の柱の間を埋めるように板が取り付けている。
【発明の効果】
【００１２】
本補助器具は、補助器具の設置または除去に関する手間を軽減することに貢献する。
【図面の簡単な説明】
【００１３】
【図１】実施形態の補助器具の斜視図。
【図２】実施形態のカバーの斜視図。
【図３】実施形態のカバーを開いたときの斜視図。
【図４】補助器具の設置手順におけるフランジの取り付け工程を示す斜視図。
【図５】補助器具のカバーをフランジに取り付けた状態を示す断面図。
【図６】第１の変形例の補助器具の斜視図。
【図７】第２の変形例の補助器具の斜視図。
【図８】第３の変形例の補助器具の斜視図。
【発明を実施するための形態】
【００１４】
図１に示されるように、補助器具１０は、玄関の土間Ｇおよび框Ｓをまたいで設置され、高齢者等の使用者の玄関の框Ｓの段差の昇降を補助する。補助器具１０は、基礎である設置台２０、中間台２１、２つの支持部３０、４つのカバー４０、および、２つの手すり５０を有する。１つの支持部３０および１つの手すり５０により、１つの組立体Ｃが構成される。補助器具１０は、２つの組立体Ｃを有し、２つの組立体Ｃは、玄関の幅方向に並んで配置されている。また、１つの組立体Ｃに対して、２つのカバー４０が取り付けられる。
【００１５】
設置台２０は、平板状を有し、設置面である玄関の土間Ｇのうちの框Ｓと隣り合う部分に配置される。
中間台２１は、框Ｓの段差が大きいときに中間段を形成するためのものであり、框Ｓの段差に応じて設置台２０から取り付けおよび取り外しすることができる。中間台２１は、設置台２０のうちの框Ｓと隣り合う部分、かつ、２つの組立体Ｃの間の位置に取り付けられている。
【００１６】
各支持部３０は、第１支柱３１、第２支柱３２、中間支柱３３、下桟３４、上桟３５、および、板３６を有する。支持部３０は、金属材料により構成されている。支持部３０の下端は、一部が設置台２０に固定されて設置台２０を介して土間Ｇ上に配置され、一部が框Ｓ上に配置される。支持部３０の上端は、手すり５０を支持する。
【００１７】
第１支柱３１は、本体部３１Ａ、調整脚３１Ｂ、および、第１頂部パイプ３１Ｃを有する。本体部３１Ａは、直線形状のパイプにより構成されている。
調整脚３１Ｂは、直線形状を有している。調整脚３１Ｂの上端部は、本体部３１Ａに収納されている。調整脚３１Ｂの下端部は、框Ｓ上に配置される。
【００１８】
調整脚３１Ｂは、長手方向に並ぶ複数の穴を有しており、調整脚３１Ｂの穴の位置と本体部３１Ａのうちの下方側の部分に形成されている穴の位置とを合わせてキャップボルトであるボルトＢにより固定することができる。そして、ボルトＢにより固定する調整脚３１Ｂの穴と本体部３１Ａの穴との組み合わせを変更することにより、調整脚３１Ｂの本体部３１Ａからの突出量を変更することができる。このため、框Ｓの高さに合わせて調整脚３１Ｂの下端の高さ位置を変更することができる。
【００１９】
第１頂部パイプ３１Ｃは、直線形状を有している。第１頂部パイプ３１Ｃの下端部は、本体部３１Ａに収納されている。第１頂部パイプ３１Ｃの上端部は、手すり５０を支持している。
【００２０】
第１頂部パイプ３１Ｃは、長手方向に並ぶ複数の穴を有しており、第１頂部パイプ３１Ｃの穴の位置と本体部３１Ａのうちの上方側の部分に形成されている穴の位置とを合わせてボルトＢにより固定することができる。そして、ボルトＢにより固定する第１頂部パイプ３１Ｃの穴と本体部３１Ａの穴との組み合わせを変更することにより、第１頂部パイプ３１Ｃの本体部３１Ａからの突出量を変更することができる。このため、使用者の体格等に合わせて手すり５０のうちの第１頂部パイプ３１Ｃにより支持される部分の高さ位置を変更することができる。
【００２１】
第２支柱３２は、本体部３２Ａ、フランジ３２Ｂ（図４参照）、および、第２頂部パイプ３２Ｃを有する。本体部３２Ａは、円筒形状を有している。図５に示されるように、フランジ３２Ｂは、本体部３２Ａの下端に形成され、設置台２０にボルトＢにより固定されている。
【００２２】
図１に示されるように、第２頂部パイプ３２Ｃは、直線形状を有している。第２頂部パイプ３２Ｃの下端部は、本体部３２Ａに収納されている。第２頂部パイプ３２Ｃの上端部は、手すり５０を支持している。
【００２３】
第２頂部パイプ３２Ｃは、長手方向に並ぶ複数の穴を有しており、第２頂部パイプ３２Ｃの穴の位置と本体部３２Ａのうちの上方側の部分に形成される穴の位置とを合わせてボルトＢ（図示略）により固定することができる。そして、ボルトＢ（図示略）により固定する第２頂部パイプ３２Ｃの穴と本体部３２Ａの穴との組み合わせを変更することにより、第２頂部パイプ３２Ｃの本体部３２Ａからの突出量を変更することができる。このため、使用者の体格等に合わせて手すり５０のうちの第２頂部パイプ３２Ｃにより支持される部分の高さ位置を変更することができる。
【００２４】
中間支柱３３は、本体部３３Ａおよびフランジ３３Ｂ（図４参照）を有する。中間支柱３３は、第１支柱３１と第２支柱３２との間に配置されている。本体部３３Ａは、円筒形状を有している。図５に示されるように、フランジ３３Ｂは、本体部３３Ａの下端に形成され、設置台２０にボルトＢにより固定されている。
【００２５】
図１に示されるように、第２支柱３２の本体部３２Ａの上端部は、第１支柱３１の本体部３１Ａの上端部よりも低い位置に形成されている。中間支柱３３の上端部は、第２支柱３２の本体部３２Ａの上端部よりも低い位置に形成されている。
【００２６】
下桟３４は、水平方向に延びる直線形状を有する。下桟３４は、長手方向の中間部分が中間支柱３３の上端部の上に溶接により固定されている。また、下桟３４は、両端部がそれぞれ第１支柱３１の本体部３１Ａの外周面、および、第２支柱３２の本体部３２Ａの外周面に溶接により固定されている。
【００２７】
上桟３５は、水平方向に延びる直線形状を有する。上桟３５は、下桟３４よりも上方に配置されている。上桟３５は、両端部がそれぞれ第１支柱３１の本体部３１Ａの外周面および第２支柱３２の本体部３２Ａの外周面に溶接により固定されている。
【００２８】
板３６は、第２支柱３２、中間支柱３３、下桟３４、および、設置台２０により囲まれる部分を埋める。板３６は、第２支柱３２と隣り合う部分のうちの下端、および、中間支柱３３と隣り合う部分のうちの下端に切欠３６Ａが形成されている。板３６は、第２支柱３２、中間支柱３３、および、下桟３４に溶接により固定されている。板３６は、第２支柱３２、中間支柱３３、下桟３４、および、設置台２０により囲まれる部分から使用者の身体の一部がはみ出すことを妨げている。
【００２９】
第１支柱３１の本体部３１Ａ、第２支柱３２の本体部３２Ａ、および、中間支柱３３の本体部３３Ａは、下桟３４、上桟３５、および、設置台２０により互いの位置関係が固定されている。
【００３０】
図２および図３を参照して、カバー４０の構造について説明する。
図２に示されるように、カバー４０は、第２支柱３２の付け根部分であるフランジ３２Ｂのまわり、および、中間支柱３３の付け根部分であるフランジ３３Ｂを覆うように取り付けられる。
【００３１】
カバー４０は、樹脂材料により構成され、内部に空間４０Ｓを有している。カバー４０は、円錐台形状を有する。また、カバー４０の高さは、カバー４０の底面の直径よりも大きい。カバー４０は、カバー４０の頂部から底部までにわたり形成された第１の切れ目４１および第２の切れ目４２を有している。
【００３２】
第１の切れ目４１および、第２の切れ目４２は、カバー４０のうちの対向する２箇所に形成されている。カバー４０は、第１の切れ目４１および第２の切れ目４２により、カバー４０の高さ方向沿う態様で第１のカバー４０Ａと第２のカバー４０Ｂとに区分されている。
【００３３】
図３に示されるように、第１の切れ目４１には、第１のカバー４０Ａおよび第２のカバー４０Ｂを接続する複数の接続部４３が形成されている。このため、カバー４０は、内周面４４が露出するように接続部４３を中心に開くことができる。
【００３４】
内周面４４には、補助器具１０の組み立てに用いる工具である足用レンチ６０および調整用レンチ７０を保持するための２つの保持部４４Ａが形成されている。一方の保持部４４Ａは、第１のカバー４０Ａの内周面４４に形成され、他方の保持部４４Ａは、第２のカバー４０Ｂの内周面４４に形成されている。保持部４４Ａは、内周面４４から突出した２つの爪４４Ｂにより構成されている。
【００３５】
第２の切れ目４２が形成された第１のカバー４０Ａの端部には、凸部４２Ａが形成されている。第２の切れ目４２が形成された第２のカバー４０Ｂの端部には、凹部４２Ｂが形成されている。凸部４２Ａおよび凹部４２Ｂが嵌り合うことにより、図２に示されるようにカバー４０が閉じられる。
【００３６】
図１に示されるように、手すり５０は、第１手すり５１、第２手すり５２、および、中間手すり５３を有する。手すり５０は、框Ｓ側から土間Ｇ側に向かって第１手すり５１、中間手すり５３、および、第２手すり５２の順に接続され、１本の手すり５０を構成している。
【００３７】
第１手すり５１は、水平方向に延びる直線形状を有している。第２手すり５２は、水平方向に延びる直線形状を有している。中間手すり５３は、水平方向に対して斜めに延びる直線形状を有している。
【００３８】
第１手すり５１と中間手すり５３とは、ヒンジ５３Ａを介して接続されている。このため、中間手すり５３は、第１手すり５１と相対回転することができる。第１手すり５１は、第１頂部パイプ３１Ｃに対して第１手すり５１の長手方向にスライド可能に第１頂部パイプ３１Ｃに取り付けられている。
【００３９】
第２手すり５２と中間手すり５３とは、ヒンジ５３Ｂを介して接続されている。このため、中間手すり５３は、第２手すり５２と相対回転することができる。第２手すり５２は、第２頂部パイプ３２Ｃに対して第２手すり５２の長手方向にスライド可能に第２頂部パイプ３２Ｃに取り付けられている。
【００４０】
第１手すり５１および第２手すり５２は、独立して高さを変更することができる。第１手すり５１および第２手すり５２の少なくとも一方の高さを変更するとき、ヒンジ５３Ａ，５３Ｂまわりに中間手すり５３が回転し、かつ、第１手すり５１および第２手すり５２の少なくとも一方が頂部パイプ３１Ｃ，３２Ｃに対してスライドする。
【００４１】
例えば、第１手すり５１の高さを高くし、第２手すり５２の高さを維持するとき、第１手すり５１は、長手方向が水平方向に沿った状態を維持して第１頂部パイプ３１Ｃに対してスライドし、手すり５０の長手方向の内側に移動する。また、中間手すり５３が第１手すり５１および第２手すり５２に対して回転し、傾斜角が大きくなるように中間手すり５３の姿勢が変化する。
【００４２】
例えば、第１手すり５１の高さを維持し、第２手すり５２の高さを高くするとき、第２手すり５２は、長手方向が水平方向に沿った状態を維持して第２頂部パイプ３２Ｃに対してスライドし、手すり５０の長手方向の内側に移動する。また、中間手すり５３が第１手すり５１および第２手すり５２に対して回転し、傾斜角が大きくなるように中間手すり５３の姿勢が変化する。
【００４３】
図１〜図５を参照して、作業者による補助器具１０の玄関への設置手順について説明する。
（手順１）図４に示されるように設置台２０を土間Ｇのうちの作業を行いやすい場所に配置する。
【００４４】
（手順２）組立体Ｃの一方を設置台２０の上に配置する。
（手順３）フランジ３２Ｂおよびフランジ３３Ｂをそれぞれの設置台２０の取り付け部分に合わせる。
【００４５】
（手順４）設置台２０の上方側からフランジ３２Ｂの穴３２Ｐと設置台２０の穴とにボルトＢをねじ込んで仮止めした後、足用レンチ６０（図３参照）を用いて本締めする。
（手順５）設置台２０の上方側からフランジ３３Ｂの穴３３Ｐと設置台２０の穴とにボルトＢをねじ込んで仮止めした後、足用レンチ６０（図３参照）を用いて本締めする。
【００４６】
（手順６）設置台２０が框Ｓに接するように土間Ｇ上を移動させる。
（手順７）図１に示される調整脚３１Ｂの本体部３１Ａからの突出量を框Ｓの高さに合わせて調整する。
【００４７】
（手順８）調整脚３１Ｂの穴と本体部３１Ａの穴とをボルトＢにより仮止めした後、調整用レンチ７０（図３参照）を用いて本締めする。
（手順９）第１頂部パイプ３１Ｃの本体部３１Ａからの突出量と、第２頂部パイプ３２Ｃの本体部３２Ａからの突出量を使用者の体格等に合わせて調整する。このとき、第１頂部パイプ３１Ｃの本体部３１Ａからの突出量に合わせて第１手すり５１を第１頂部パイプ３１Ｃに対してスライドさせる。また、第２頂部パイプ３２Ｃの本体部３２Ａからの突出量に合わせて第２手すり５２を第２頂部パイプ３２Ｃに対してスライドさせる。
【００４８】
（手順１０）第１頂部パイプ３１Ｃの穴と本体部３１Ａの穴とをボルトＢにより仮止めした後、調整用レンチ７０（図３参照）を用いて本締めする。また、第１頂部パイプ３１Ｃを手すり５１の裏面にボルトＢ（図示略）により仮止めした後、調整用レンチ７０（図３参照）を用いて本締めする。
【００４９】
（手順１１）第２頂部パイプ３２Ｃの穴と本体部３２Ａの穴とをボルトＢにより仮止めした後、調整用レンチ７０（図３参照）を用いて本締めする。また、第２頂部パイプ３２Ｃを手すり５２の裏面にボルトＢ（図示略）により仮止めした後、調整用レンチ７０（図３参照）を用いて本締めする。
【００５０】
（手順１２）図３に示されるように、２つのカバー４０を開き、足用レンチ６０および調整用レンチ７０を一方のカバー４０の保持部４４Ａに嵌め込む。
（手順１３）一方のカバー４０を開いた状態のまま、第２支柱３２と切欠３６Ａとの間に形成される空間にカバー４０の第１のカバー４０Ａを差し込む。また、他方のカバー４０を開いた状態のまま、中間支柱３３と切欠３６Ａとの間に形成される空間にカバー４０の第１のカバー４０Ａを差し込む。
【００５１】
（手順１４）それぞれのカバー４０の凸部４２Ａと凹部４２Ｂとを連結し、図２に示されるように２つのカバー４０の第２の切れ目４２を閉じる。これにより、図５に示されるように、一方のカバー４０の空間４０Ｓに、レンチ６０，７０が収容される。
【００５２】
作業者は、他方の組立体Ｃについても、（手順１）〜（手順１４）の作業を繰り返す。また、框Ｓの高さに応じて、設置台２０に中間台２１を取り付ける。これにより、補助器具１０の玄関への設置が完了する。
【００５３】
補助器具１０は、以下の効果を奏する。
（１）補助器具１０は、切れ目４１，４２が形成されたカバー４０を有する。このため、設置台２０が土間Ｇに設置された状態において、カバー４０を設置台２０に取り付けること、および、取り付けられたカバー４０を取り外すことができる。このため、切れ目４１，４２が形成されていないカバーを有する比較例の補助器具と比較して、カバー４０の取り付けおよび取り外しにかかる手間が軽減される。このため、補助器具１０の設置または撤去に関する作業の手間が軽減される。
【００５４】
（２）第１のカバー４０Ａおよび第２のカバー４０Ｂを繋げる接続部４３が２箇所の切れ目４１に形成されている。このため、作業者は、第１のカバー４０Ａおよび第２のカバー４０Ｂを１つの物体として取り扱うことができる。
【００５５】
（３）カバー４０の内周面４４に、レンチ６０，７０を保持する保持部４４Ａが形成されている。そして、この保持部４４Ａに、フランジ３２Ｂ，３３Ｂを設置台２０に固定するためのボルトＢに対応するレンチ６０，７０が取り付けられる。このため、作業者は、フランジ３２Ｂ，３３Ｂをベースから取り外すときにカバー４０を開くことにより、フランジ３２Ｂ，３３Ｂを外すために必要な工具である上記レンチ６０，７０を用意することができる。また、作業者は、フランジ３２Ｂ，３３Ｂを設置台２０に取り付けたとき、その次に支持部３０に取り付けるカバー４０にレンチ６０，７０を取り付けることにより、使用済みの工具であるレンチ６０，７０を収納することができる。このように、補助器具１０によれば、工具の用意および収納に関する利便性が向上する。
【００５６】
（４）補助器具１０によれば、２本の支柱３２，３３の間を埋めるように板３６が取り付けられている。このため、使用者が手すり５０を利用して移動しているときに、その足が２本の支柱３２，３３の間に入ることが板３６により妨げられる。このため、安全性が一層向上する。
【００５７】
（５）カバー４０の高さは、カバー４０の底面の直径よりも大きい。このため、使用者の足がカバー４０の上端部に乗り上げるおそれが小さい。このため、使用者がカバー４０に足をとられにくく、安全性が一層向上する。
【００５８】
（６）個別に形成された設置台２０、支持部３０、および、手すり５０がボルトＢにより互いに接続されることにより補助器具１０を構成している。この構成によれば、設置台２０、支持部３０、および、手すり５０の少なくとも１つを、使用者の体格、使用者が感じる使用感、または、補助器具１０が使用されるシーンおよび、環境（例えば、框Ｓの段差ＨＳ）等に応じて調整することができる。このため、補助器具１０の汎用性が高められる。
【００５９】
（７）例えば、設置台の下方からボルトをねじこむ構成を有する比較例の補助器具の場合、設置台の下面を上方に返してボルトをねじ込む作業を行う。一方、補助器具１０は、フランジ３２Ｂ，３３Ｂの上方からボルトＢをフランジ３２Ｂ，３３Ｂおよび設置台２０にねじ込むことができる。このため、設置場所において設置作業を行いやすく、比較例の補助器具と比較して、比較的狭い場所でも補助器具１０を容易に設置できる。
【００６０】
本補助器具が取り得る具体的な形態は、上記実施形態に例示された形態に限定されない。本補助器具は、本発明の目的が達成される範囲において、上記実施形態とは異なる各種の形態を取り得る。以下に示される上記実施形態の変形例は、本補助器具が取り得る各種の形態の一例である。
【００６１】
・図６に示されるように、第１支柱３１の調整脚３１Ｂのうちの框Ｓに設置される部分である足にカバー４０を取り付け、足をカバー４０で覆うこともできる。カバー４０の形状は、第１支柱３１の底部に合わせて適宜変更できる。なお、この場合、調整脚３１Ｂは「基礎」であり、框Ｓは「設置面」である。また、この変形例においては、フランジ３２Ｂ，３３Ｂに取り付けるカバー４０を省略することもできる。
【００６２】
・フランジ３２Ｂおよびフランジ３３Ｂを覆うカバー４０の一方を省略することもできる。
・カバー４０の形状および大きさは適宜変更することができる。例えば、底面がフランジ３２Ｂ，３３Ｂを覆う半球形状を採用することができる。
【００６３】
・接続部４３を省略することもできる。この場合、第１のカバー４０Ａおよび第２のカバー４０Ｂは完全に分割することができる。
・第１の切れ目４１を省略することもできる。この場合、カバー４０を可撓性を有するゴムにより構成し、第２の切れ目４２を用いてカバー４０の内周面４４が露出するように開くようにすることができる。
【００６４】
・内周面４４をフランジ３２Ｂ，３３Ｂの外形と一致させることもできる。この場合、空間４０Ｓは形成されない。また、保持部４４Ａを省略することもできる。
・各ボルトＢをねじに変更することもできる。この場合、工具として例えば分解可能なドライバーが用いられる。そして、保持部４４Ａは、このドライバーを保持できる形状に変更される。
【００６５】
・板３６に代えて、格子を採用することもできる。要するに、第２支柱３２と中間支柱３３との間から使用者の足が飛び出すことを抑制できる部材であれば、いずれの部材を採用することもできる。
【００６６】
・板３６を省略することもできる。
・第１支柱３１の本体部３１Ａ、第２支柱３２の本体部３２Ａ、中間支柱３３の本体部３３Ａ、下桟３４、上桟３５、および、板３６をプレス等により一体的に形成したものとすることもできる。要するに、設置台２０に支持され、手すり５０を支持できる支持部３０であれば、いずれの構成を採用することもできる。
【００６７】
・中間手すり５３を長手方向において湾曲した形状にすることもできる。
・第１手すり５１よりも上方に位置する第３手すりを追加することもできる。この場合、支持部３０に第３手すりを支持する部分を設けるとともに、第１手すり５１と第３手すりとを中間手すり５３と同様の中間手すりにより接続することもできる。これにより、第３手すりの高さを、第１手すり５１および第２手すり５２の高さと独立して変更することができる。
【００６８】
・図６または図８に示されるように、組立体Ｃを１つのみにすることもできる。
・設置台２０に目的等に合わせて凸部を形成させることもできる。例えば、中間台２１を設置台２０と一体的に形成することもできる。この場合、設置台２０の形状は、平板状に類似している。
【００６９】
・設置台２０を省略することもできる。この場合、本体部３２Ａ，３３Ａが「基礎」であり、フランジ３２Ｂ，３３Ｂが「基礎のうちの底部」である。
・補助器具１０は、玄関の框Ｓに設置したが、玄関の框Ｓ以外の段差がある部分であれば、いずれの場所に設置することもできる。
【００７０】
・補助器具１０は、段差の移動を補助するために段差に設置したが、使用者が立ち上がる動作を補助するために平面に設置することもできる。
例えば、図７は、設置面であるトイレＴの床面に設置される補助器具１００を示している。補助器具１００は、トイレＴの形状に合わせた切欠１２１を有する設置台１２０、および、トイレＴの便座高さに合わせた支持部１３０および手すり１５０を有する。
【００７１】
例えば、図８は、設置面である床面に設置される補助器具２００を示している。補助器具２００は、布団（図示略）の横に配置され、使用者の布団からの起き上がりを補助する。補助器具２００は、設置台２２０、および、布団からの起き上がりに適した高さの支持部２３０および手すり２５０を有する。
【符号の説明】
【００７２】
１０…補助器具、２０…設置台（基礎）、３０…支持部、３２Ｂ…フランジ（付け根部分）、３３Ｂ…フランジ（付け根部分）、３６…板、４０…カバー、４０Ａ…第１のカバー、４０Ｂ…第２のカバー、４１…第１の切れ目、４２…第２の切れ目、４３…接続部、４４…内周面、４４Ａ…保持部、５０…手すり、６０…足用レンチ（工具）、７０…調整用レンチ（工具）。
【図１】
2015173697.tif 000003
【図２】
2015173697.tif 000004
【図３】
2015173697.tif 000005
【図４】
2015173697.tif 000006
【図５】
2015173697.tif 000007
【図６】
2015173697.tif 000008
【図７】
2015173697.tif 000009
【図８】
2015173697.tif 000010
【手続補正書】
【提出日】平成26年4月30日(2014.4.30)
【手続補正１】
【補正対象書類名】特許請求の範囲
【補正対象項目名】全文
【補正方法】変更
【補正の内容】
【特許請求の範囲】
【請求項１】
設置面に設置され、平板状またはそれに類似する形状を有する基礎と、
前記基礎に支持される支持部と、
前記支持部に支持される手すりと、
少なくとも前記支持部のうちの前記基礎との付け根部分を覆うカバーと
を有し、
前記カバーの頂部から底部までにわたり切れ目が形成されている
補助器具。
【請求項２】
設置面に設置され、柱またはそれに類似する形状を有する基礎と、
前記基礎に支持される支持部と、
前記支持部に支持される手すりと、
前記基礎のうちの底部を覆うカバーと
を有し、
前記カバーの頂部から底部までにわたり切れ目が形成されている
補助器具。
【請求項３】
前記カバーの対向する２箇所に前記切れ目が形成されていることにより、前記カバーが第１のカバーと第２のカバーとに区分され、その区分された第１のカバーおよび第２のカバーを繋げる接続部が前記２箇所の切れ目のうちの一方に形成されている
請求項１または２に記載の補助器具。
【請求項４】
前記カバーと前記支持部との間に空間が形成されるように前記カバーの形状が設定され、前記カバーの内周面に工具を保持する保持部が形成されている
請求項１〜３のいずれか一項に記載の補助器具。
【請求項５】
前記支持部は、前記手すりの長手方向に並べて配置された少なくとも２本の柱を有し、
その２本の柱の間を埋めるように板が取り付けている
請求項１〜４のいずれか一項に記載の補助器具。
【請求項６】
請求項１〜５のいずれか一項に記載の補助器具用のカバー。
【手続補正３】
【補正対象書類名】明細書
【補正対象項目名】０００１
【補正方法】変更
【補正の内容】
【０００１】
本発明は、手すりを含む補助器具、および、補助器具用のカバーに関する。
【手続補正４】
【補正対象書類名】明細書
【補正対象項目名】０００６
【補正方法】変更
【補正の内容】
【０００６】
本発明の目的は、補助器具の設置または除去に関する手間を軽減することに貢献する補助器具、および、補助器具用のカバーを提供することである。
【手続補正５】
【補正対象書類名】明細書
【補正対象項目名】００１１
【補正方法】変更
【補正の内容】
【００１１】
〔５〕前記補助器具に従属する一形態によれば、前記支持部は、前記手すりの長手方向に並べて配置された少なくとも２本の柱を有し、その２本の柱の間を埋めるように板が取り付けている。
〔６〕本補助器具用のカバーの独立した一形態によれば、上記〔１〕〜〔５〕のいずれかの構成を有している。
【手続補正６】
【補正対象書類名】明細書
【補正対象項目名】００１２
【補正方法】変更
【補正の内容】
【００１２】
本補助器具、および、補助器具用のカバーは、補助器具の設置または除去に関する手間を軽減することに貢献する。